(57)【要約】      （修正有）【課題】既存部品の形状を複雑にすることなく簡素な構造によって輝度ムラを抑制出来、表示装置の小型化、薄型化、および表示部の狭額縁化が可能な表示パネルアッセンブリまたは該表示パネルアッセンブリを有する表示装置を提供する。【解決手段】表示パネルアッセンブリを構成するミドルフレーム２０７は、少なくとも導光板２０５の入光端面を有する端部近傍を出光端面側より部分的に覆う形状とし、且つ光学シート２０６が液晶セル２０２側に露出する開口部を有する。前記ミドルフレーム２０７で覆われる前記光学シート２０６の前記導光板２０５側にＬＥＤ基板２０３から照射される光をバックシャーシ側へ反射する反射部２０６ｇを設けた。【選択図】図１４
0003179071.tif 000002
【実用新案登録請求の範囲】
【請求項１】
少なくとも光源と、前記光源の光を入光する入光端面と前記入光端面に直交する出光端面とを有する導光板と、前記導光板および光源を収容するバックシャーシと、前記導光板の出光端面の対向位置にあって前記出光端面から照射される光を集光／拡散する光学シートと、前記光源の光を透過して映像を表示する液晶セルと、前記光学シートと前記液晶セルの間に位置するミドルフレームとを備えた表示パネルアッセンブリであって、前記ミドルフレームは少なくとも前記導光板の入光端面を有する端部近傍を出光端面側より部分的に覆う形状とし、且つ前記光学シートが前記液晶セル側に露出する開口部を有し、前記ミドルフレームで覆われる前記光学シートの前記導光板側に前記光源から照射される光をバックシャーシ側へ反射する反射部を設けたことを特徴とする表示パネルアッセンブリまたは該表示パネルアッセンブリを有する表示装置。
【請求項２】
前記導光板の入光端面から前記ミドルフレームの開口端面までの距離は、前記導光板の厚さ寸法の１．５倍以下であることを特徴とする請求項１に記載の表示パネルアッセンブリまたは該表示パネルアッセンブリを有する表示装置。
【考案の詳細な説明】
【技術分野】
【０００１】
本考案は、映像を表示する表示パネルアッセンブリまたは該表示パネルアッセンブリを有する表示装置に関する。
【背景技術】
【０００２】
表示パネルアッセンブリは、例えば家庭用テレビジョン受像機やパーソナルコンピュータ（ＰＣ）用のモニタ等の電子機器において広く用いられており、その基本構成は、光を透過又は遮断する液晶セルと、前記液晶セルの背面側より光を照射する光源と、前記光源から照射される光を液晶セルへと誘導する導光板と、前記導光板を介して誘導された光を拡散／集光する光学シートと、前記液晶セル、光源、導光板、及び光学シートを組付け前記液晶表示パネルの外装を担う外装部材より成る。そして、前記光源より照射される光を液晶セルが透過又は遮断することで画像を表示することが出来る。
【０００３】
前述の構成のような表示パネルアッセンブリにおいて、光源からの光が均一とならずに表示部周縁近傍が極端に明るく光って見える所謂輝度ムラが生じる場合がある。このような輝度ムラの発生を抑制する手段として次のような従来技術がある。
【０００４】
特許文献１には、シート部の一方の面に並べて配列された複数の単位光透過部とを有する光学シートであって、単位光透過部は、シート部側から光を光学シートに入射させたときに単位光透過部からのサイドローブ光の出射を抑制するような形状を有している内容が記載されている。
【０００５】
また、特許文献２には、平面視矩形の平板状をなす導光板を備え、前記導光板は、前記開口部に臨む出射面と、互いに対峙する第２の側面の対と、前記反出射面上であって一方の第１の側面近傍に開口する孔とを有し、孔内に配置される点状光源とを備え、前記出射面と垂直な方向に稜線を有し、前記出射面と平行な方向の断面がのこぎり形状の繰り返し凹凸状に形成されたプリズムである内容が記載されている。
【０００６】
【特許文献１】特開２０１１−１５８６３１号公報
【特許文献２】特開２０１０−１５７４６４号公報
【考案の開示】
【考案が解決しようとする課題】
【０００７】
特許文献１および特許文献２の構造によれば、光源からの光を均一に照射でき輝度ムラの抑制が望めるが、光学シートや導光板等の部品形状を変更する必要があるため部品そのものが高価となることが懸念される。特に導光板の形状変更について詳述すれば、のこぎり計上の凹凸を成形することから成形が困難になる虞がある。また、前記導光板の周辺に凹凸を成形することによる表示パネルアッセンブリの大型化や画面周縁部分の額縁寸法が大きくなることが懸念される。
【０００８】
本考案は上述した点に鑑みてなされたものであって、既存部品の形状を複雑にすることなく簡素な構造によって輝度ムラを抑制出来、表示装置の小型化、薄型化、および表示部の狭額縁化が可能な表示パネルアッセンブリまたは該表示パネルアッセンブリを有する表示装置を提供することにある。
【０００９】
請求項１に係る表示パネルアッセンブリまたは該表示パネルアッセンブリを有する表示装置は、少なくとも光源と、前記光源の光を入光する入光端面と前記入光端面に直交する出光端面とを有する導光板と、前記導光板および光源を収容するバックシャーシと、前記導光板の出光端面の対向位置にあって前記出光端面から照射される光を集光／拡散する光学シートと、前記光源の光を透過して映像を表示する液晶セルと、前記光学シートと前記液晶セルの間に位置するミドルフレームとを備えた表示パネルアッセンブリであって、前記ミドルフレームは少なくとも前記導光板の入光端面を有する端部近傍を出光端面側より部分的に覆う形状とし、且つ前記光学シートが前記液晶セル側に露出する開口部を有し、前記ミドルフレームで覆われる前記光学シートの前記導光板側に前記光源から照射される光をバックシャーシ側へ反射する反射部を設けたことを特徴としている。
【００１０】
また、請求項２に係る表示パネルアッセンブリまたは該表示パネルアッセンブリを有する表示装置は、請求項１に記載の表示パネルアッセンブリまたは該表示パネルアッセンブリを有する表示装置であって、前記導光板の入光端面から前記ミドルフレームの開口端面までの距離は、前記導光板の厚さ寸法の１．５倍以下であることを特徴としている。
【考案の効果】
【００１１】
以上のような本考案の構成によれば、表示パネルアッセンブリを構成する部品形状の変更を行うことなく簡素な構造によって輝度ムラを抑制出来る。また、導光板の入光端面からミドルフレームの開口部の端部までの距離を短く出来ることから、表示パネルアッセンブリの小型化、薄型化、および表示部の狭額縁化が可能となる。
【図面の簡単な説明】
【００１２】
【図１】本考案の実施例における表示装置を示す正面側斜視図。
【図２】本考案の実施例における表示パネルアッセンブリの構成を示す分解斜視図。
【図３】本考案の実施例におけるフロントベゼル単体を示す斜視図。
【図４】本考案の実施例におけるフロントベゼルの成形用金型を示す概略側面側断面図。
【図５】本考案の実施例におけるフロントベゼル単体を示す背面側部分拡大斜視図。
【図６】本考案の実施例におけるバックシャーシ単体を示す斜視図。
【図７】本考案の実施例における光源単体を示す部分拡大斜視図。
【図８】本考案の実施例における液晶セル単体を示す斜視図。
【図９】本考案の実施例における導光板単体を示す斜視図。
【図１０】本考案の実施例における導光板単体を示す部分拡大斜視図。
【図１１】本考案の実施例における光学シートを示す斜視図。
【図１２】本考案の実施例におけるミドルフレーム単体を示す斜視図。
【図１３】本考案の実施例における光学シートの背面図。
【図１４】本考案の実施例における表示パネルアッセンブリの光の反射状態を示す概略側面側断面図。
【図１５】本考案の実施例におけるＬＥＤ基板とミドルフレームと導光板の関係を示す概略側面側断面図。
【考案を実施するための形態】
【００１３】
以下、本考案を実施するための最良の形態としての実施例を図１〜図１５を用いて説明する。なお、本考案はその主旨に反しない範囲で、実施例において説明した構成以外のものに対しても容易に適用可能である。
【００１４】
図１は本考案の実施例における表示装置を示す正面側斜視図、図２は本考案の実施例における表示パネルアッセンブリの構成を示す分解斜視図である。同図の符号１００は表示装置、２００は前記表示装置１００の表示部を構成する表示パネルアッセンブリ、２０１は前記表示パネルアッセンブリ２００の前面側を担う概略枠状を成したフロントベゼル、２０２は映像を表示する液晶セル、２０３は前記液晶セル２０２の後方側から光を透過する光源、２０４はバックシャーシ、２０５は前記光源２０３から照射される光を一方端面から受け入れて画面を均一に光らせるための導光板、２０６は前記導光板２０５によって誘導される光を拡散／集光するための光学シート、２０７は前記光学シート２０６の前方に位置するミドルフレーム、２０８は前記バックシャーシ２０４と前記導光板２０５の間に位置する反射シートを夫々表している。
【００１５】
本考案の実施例では、フロントベゼル２０１をポリスチレン等の樹脂材料で成形している。図３は本考案の実施例におけるフロントベゼル単体を示す斜視図、図４は本考案の実施例におけるフロントベゼルの成形用金型を示す概略側面側断面図、図５は本考案の実施例におけるフロントベゼル単体を示す背面側部分拡大斜視図である。同図で示すように、フロントベゼル２０１の背面側周縁の端部近傍には複数の材料注入箇所２０１ｊ，２０１ｊ，・・を設けている。そして、前記フロントベゼル２０１は固定側金型８００ｂにおいて材料の注入と成形品の離間を行うホットランナー成形で行っている。ホットランナー成形によって、スプルーやランナーの排出を抑えて成形品となるフロントベゼル２０１のみを排出することから余分な材料費を抑えることが出来る。また、材料注入箇所２０１ｊ，２０１ｊ，・・をフロントベゼル２０１の周縁端部近傍に設けることで、前記材料注入箇所２０１ｊと液晶セル２０２等の表示パネルアッセンブリ２００を構成する部品との干渉を防止出来る。そして、前記フロントベゼル２０１が表示パネルアッセンブリ２００の正面側を担うと共に、表示装置１００の正面側外装筐体を兼用しているため、別途正面側外装筐体を構成するフロントキャビネットが不要となり、薄型化および狭額縁化が可能な表示装置を提供することが出来る。なお、本考案の実施例におけるフロントベゼルとは、表示部分の外周を囲う部材であって、額縁、フレーム、キャビネット、筐体、ケース、枠体などと称されることもある。また、前記フロントベゼル２０１の材料はポリスチレンに限定するものではなく、一般的に樹脂と称される材料を適宜選定して用いれば良い。さらに、本考案の実施例では前記フロントベゼル２０１を概略枠状に一体成形された部材としているが、分割された構成であっても良い。
【００１６】
また、本考案の実施例では、バックシャーシ２０４を鋼板等の金属部材で成形している。そして、前記バックシャーシ２０４が表示パネルアッセンブリ２００の背面側を担うと共に、表示装置１００の背面側外装筐体の一部を兼用しているため、別途背面側外装筐体を構成するバックキャビネットが不要となり、さらに薄型化が可能な表示装置を提供することが出来る。なお、本考案におけるバックシャーシ２０４の材料は鋼板に限定するものではなく、一般的に金属と称される材料を適宜選定して用いれば良い。
【００１７】
これらフロントベゼル２０１とバックシャーシ２０５を組付けることで形成される空間内には、液晶セル２０２および光源２０３を含む映像を表示するための各種部品を取付けることで表示パネルアッセンブリ２００が構成される。ここで本実施例における映像を表示するための各種部品について詳述する。
【００１８】
図３および図５で示すように、フロントベゼル２０１は略中央部分に開口部２０１ａを有する略枠形状を成している。そして、前記フロントベゼル２０１の上下部および両側部には、天面２０１ｂ、底面２０１ｃ、右側面２０１ｄ、左側面２０１ｅが後方に向かって延出形成されている。なお、前述の材料注入箇所２０１ｊ，２０１ｊ，・・は前記天面２０１ｂ、底面２０１ｃ、右側面２０１ｄ、左側面２０１ｅの後方端部に設けられている。
【００１９】
図６は本考案の実施例におけるバックシャーシ単体を示す斜視図である。同図で示すように、バックシャーシ２０４は背面２０４ａを基準に上部面２０４ｂ、右側側面２０４ｃ、左側側面２０４ｄ、および下部面２０４ｅを一体に備えた形状としている。そして、本実施例では前記上部面２０４ｂ、右側側面２０４ｃ、および左側側面２０４ｄを絞り加工によって形成している。なお、本考案は前述の加工に限定するものではなく、例えば全ての面を絞り加工で形成したり、或いは曲げ加工で形成する等、本考案の主旨の範囲内で種々の変形実施が可能である。また、前記バックシャーシ２０４の背面２０４ａには反射シート２０８を配設しており、後述する導光板を通る光源からの光を所定方向へ反射させている。
【００２０】
図７は本考案の実施例における光源単体を示す部分拡大斜視図である。本実施例では、光源２０３として複数のＬＥＤ（Ｌｉｇｈｔ  Ｅｍｉｔｔｉｎｇ  Ｄｉｏｄｅ）２０３ａ，２０３ａ，・・が基板２０３ｂに配設されたＬＥＤ基板を使用している（以下、ＬＥＤ基板２０３と称して説明を続ける）。そして、前記ＬＥＤ基板２０３はバックシャーシの下部面２０４ｅに配設されている。
【００２１】
図８は本考案の実施例における液晶セル単体を示す斜視図である。液晶セル２０２と駆動回路基板２０２ｂはフレキシブルプリント配線板２０２ｃ，２０２ｃを介して取付けられている。そして、前記駆動回路基板２０２ｃは前記フレキシブルプリント配線板２０２ｃ，２０２ｃを曲げてバックシャーシ２０４の背面側に取付ける構造としている。
【００２２】
図９は本考案の実施例における導光板単体を示す斜視図、図１０は同部分拡大斜視図である。導光板２０５はバックシャーシ２０４に収まる寸法を有し、前記導光板２０５を前記バックシャーシ２０４に配設したときにＬＥＤ基板２０３と対向する面を入光端面２０５ａとしている。そして、前記入光端面２０５ａと直交する面であって、光学シート２０６と対向する面を出光端面２０５ｃとしている。すなわち、前記バックシャーシ２０４の下部面２０４ｅに配設されたＬＥＤ基板２０３より照射される光は、前記入光端面２０５ａから前記導光板２０５を通って前記出光端面２０５ｃから照射される。なお、前述の光は、バックシャーシ２０４に配設された反射シート２０８によって反射するものも含まれることを言及する。
【００２３】
図１１は本考案の実施例における光学シートを示す斜視図である。同図で示すように、本考案の実施例では、光学シート２０６を縦レンズシート２０６ａと、横レンズシート２０６ｂと、拡散シート２０６ｃの３枚のシートによって構成している。そして、前記光学シートを透過した光は拡散／集光され、面均一な光となって液晶セル２０２へ照射される。なお、本考案では前記光学シート２０６を３枚で構成しているが、２枚以下で構成する場合や、逆に４枚以上で構成する場合もあり、本考案の主旨の範囲内で適宜選定可能である。
【００２４】
図１２は本考案の実施例におけるミドルフレーム単体を示す斜視図である。同図で示すように、ミドルフレーム２０７は略中央部分に開口部２０７ａを有する略枠状を成している。また、前記ミドルフレーム２０７には液晶セル２０２を載置するための載置部２０７ｄが設けられている。ここで本実施例におけるミドルフレーム２０７の役割について詳述すると、バックシャーシ２０４に配設された導光板２０５および光学シート２０６等の部品の保持および液晶セル２０２の載置に加え、前記液晶セル２０２と前記光学シート２０６の間で所定の間隔を設けるためにある。
【００２５】
本実施例における表示パネルアッセンブリ２００は、以上のような各種部品を組付けることで構成されている。ところで、ＬＥＤ基板２０３から照射される光が反射シート２０８によって反射することなく導光板２０５と光学シート２０６を通って液晶セル２０２を透過する場合がある。これは、前記導光板２０５の入光端面２０５ａから前記ミドルフレーム２０７の開口部２０７ａの端部までの距離と、前記導光板の厚さ寸法との関係によって生じるものであり、前述の光によって映像を表示する縁部分、特に本実施例であればＬＥＤ基板２０３が配設された下方部分において明るく見える所謂輝度ムラの要因となっている。
【００２６】
そこで、本実施例では光学シート２０６、特に導光板２０５と対向位置にある縦レンズシート２０６ａに反射部２０６ｇを設けている。図１３は本考案の実施例における光学シートの背面図である。同図で示すように、本実施例では光学シート２０６を構成する縦レンズシート２０６ａの背面側下方において幅方向に長い反射部２０６ｇを設けている。なお、本実施例では反射部２０６ｇとしてシート状の反射部材を縦レンズシート２０６ａへ貼着している。
【００２７】
図１４は本考案の実施例における表示パネルアッセンブリの光の反射状態を示す概略側面側断面図である。ＬＥＤ基板２０３から照射された光は導光板２０５の入光端面２０５ａから入り、反射シート２０８等によって前記導光板２０５の内部で反射する。反射した光は前記導光板２０５の出光端面２０５ｃから照射され、光学シート２０６および液晶セル２０２を透過し、前記液晶セル２０２の映像が表示される。しかし、前記導光板２０５の入光端面２０５ａからミドルフレーム２０７の開口部２０７ａの端部までの距離が短く、且つ前記導光板２０５の厚さ寸法が小さい場合、前述の輝度ムラが発生する。そこで、本実施例では光学シート２０６を構成する縦レンズシート２０６ａに反射部２０６ｇを設け、輝度ムラの要因となる光を強制的に反射させる構造としている。その結果、輝度ムラを抑制出来、換言すれば、導光板２０５の入光端面２０５ａからミドルフレーム２０７の開口部２０７ａの端部までの距離を短く出来、さらに前記導光板の厚さ寸法を小さく出来るため、表示装置１００の外観を構成する表示パネルアッセンブリ２００の小型化、薄型化、および表示部の狭額縁化が可能となる。
【００２８】
つぎに、光学シート２０６に反射部２０６ｇを設ける場合の、導光板２０５の入光端面２０５ａからミドルフレーム２０７の開口部２０７ａの端部までの距離と前記導光板２０５の厚さ寸法の関係について説明する。図１５は本考案の実施例におけるＬＥＤ基板とミドルフレームと導光板の関係を示す概略側面側断面図である。同図で示すように、導光板２０５の入光端面２０５ａからミドルフレーム２０７の開口部２０７ａの端部までの距離をｘとし、前記導光板２０５の厚さ寸法をｙとした場合、ｘ≦１．５ｙの条件を満たすときには光学シート２０６に反射部２０６ｇを設けて輝度ムラを抑制する。逆に、ｘ＞１．５ｙの条件に該当するときには前記反射部を設けなくても良い。なお、本実施例の場合、ミドルフレーム２０７の開口部２０７ａの端部とは、液晶セル２０２を載置する載置部２０７ｄの端となる。
【００２９】
以上、本考案の実施例について詳述したが、本考案は前記実施例に限定されるものではなく、本考案の主旨の範囲内で種々の変形実施が可能である。例えば、本実施例では光学シート２０６を構成する縦レンズシート２０６ａに別部品となる反射部２０６ｇを貼付する方法について説明したが、前記縦レンズシート２０６ａと一体に前記反射部２０６ｇを設けるようにしても良い。また、本実施例では前記反射部２０６ｇを一箇所のみ設ける構成で説明したが、複数の光源を設けた場合には前記反射部２０６も複数設ける等、適宜選定可能である。
【符号の説明】
【００３０】
１００    表示装置
２００    表示パネルアッセンブリ
２０１    フロントベゼル
２０１ａ  開口部
２０１ｂ  天面
２０１ｃ  底面
２０１ｄ  右側面
２０１ｅ  左側面
２０１ｊ  材料注入箇所
２０２    液晶セル
２０２ｂ  駆動回路基板
２０２ｃ  フレキシブルプリント配線板
２０３    光源（ＬＥＤ基板）
２０３ａ  ＬＥＤ
２０３ｂ  基板
２０４    バックシャーシ
２０４ａ  背面
２０４ｂ  上部面
２０４ｃ  右側部面
２０４ｄ  左側部面
２０４ｅ  下部面
２０５    導光板
２０５ａ  入光端面
２０５ｃ  出光端面
２０６    光学シート
２０６ａ  縦レンズシート
２０６ｂ  横レンズシート
２０６ｃ  拡散シート
２０６ｇ  反射部
２０７    ミドルフレーム
２０７ａ  開口部
２０７ｄ  載置部
２０８    反射シート
８００    金型
８００ａ  可動側金型
８００ｂ  固定側金型
【図１】
0003179071.tif 000003
【図２】
0003179071.tif 000004
【図３】
0003179071.tif 000005
【図４】
0003179071.tif 000006
【図５】
0003179071.tif 000007
【図６】
0003179071.tif 000008
【図７】
0003179071.tif 000009
【図８】
0003179071.tif 000010
【図９】
0003179071.tif 000011
【図１０】
0003179071.tif 000012
【図１１】
0003179071.tif 000013
【図１２】
0003179071.tif 000014
【図１３】
0003179071.tif 000015
【図１４】
0003179071.tif 000016
【図１５】
0003179071.tif 000017